(57)【要約】本発明は、分散アンテナシステム（ＤＡＳ）上の無線医療用遠隔測定サービス（ＭＴＳ）をサポートするための方法およびシステムを対象とする。ＤＡＳは、ＭＴＳアクセスポイントとアンテナとの間でＭＴＳ制御情報および状態情報を転送するための、１つ以上の制御チャネルを含むことができる。制御チャネルは、別個のケーブルを介して、またはＭＴＳアクセスポイントとアンテナとの間のＤＡＳの既存のケーブルを介して転送される１つ以上の中間周波数信号を使用することによって、転送することができる。制御チャネルは、能動アンテナを含むＤＡＳの被管理構成要素からの状態を構成、制御、および受信し、ＴＤＤ信号を処理するために使用される増幅器をリアルタイムで制御し、かつダイバーシティアンテナシステムの切替をリアルタイムで制御するために使用することができる。
2011525344.tif 000002
【特許請求の範囲】
【請求項１】
分散アンテナシステムであって、
第１の結合ユニットを少なくとも１つのアンテナユニットに接続する少なくとも１つのケーブルランと、
該第１の結合ユニットであって、該第１の結合ユニットは、基地局を該第１の結合ユニットに接続することができる基地局接続を含み、該基地局と該ケーブルランとの間で、第１の無線サービスに対応する信号を転送することができる、第１の結合ユニットと、
該第１の結合ユニットに接続されている少なくとも１つの無線サービスアクセスポイントであって、該第１の結合ユニットは、該少なくとも１つの無線アクセスポイントと該ケーブルランとの間で、第２の無線サービスに対応する信号を転送することができる、少なくとも１つの無線サービスアクセスポイントと、
該無線サービスアクセスポイントに接続されている第１のインターフェースモジュールであって、該第１のインターフェースモジュールは、該無線サービスアクセスポイントから送信される制御信号を中間周波数（ＩＦ）制御信号に変換すること、および該無線サービスアクセスポイントと該第１の結合ユニットとの間で該ＩＦ制御信号を転送することができ、該第１の結合ユニットは、該第１のインターフェースモジュールと該ケーブルランとの間で、該ＩＦ制御信号を転送することができる、第１のインターフェースモジュールと、
該ケーブルランに接続されている第２の結合ユニットであって、該ＩＦ制御信号を受信すること、該ＩＦ制御信号を該制御信号に変換して戻すこと、および該制御信号を該分散アンテナシステムの該少なくとも１つのアンテナユニットに転送することができる、第２の結合ユニットと
を備えている、分散アンテナシステム。
【請求項２】
前記第１の結合ユニットに接続されている基準クロック信号発生器であって、基準クロック信号を発生させることができる基準クロック信号発生器をさらに備え、該第１の結合ユニットは、該基準クロック信号を受信すること、および前記ケーブルランを介して該基準クロック信号を少なくとも１つのアンテナユニットに伝送することができる、請求項１に記載の分散アンテナシステム。
【請求項３】
前記第１の結合ユニットは、前記第２の無線サービスに対応する前記アクセスポイントから受信した信号を中間周波数信号に変換するために前記基準クロック信号を使用し、前記ケーブルランを介して該中間周波数信号を少なくとも１つのアンテナユニットに転送する、請求項２に記載の分散アンテナシステム。
【請求項４】
前記第２の結合ユニットは、前記第１の結合ユニットから受信した前記中間周波数信号を前記第２の無線サービスに対応する信号に変換するために前記基準クロック信号を使用し、該第２の無線サービスに対応する信号を少なくとも１つのアンテナユニットに転送する、請求項３に記載の分散アンテナシステム。
【請求項５】
前記少なくとも１つのアンテナユニットは、２つ以上のアンテナ要素を有するダイバーシティアンテナであり、前記制御信号および前記基準クロック信号は、前記第２の無線サービスに対応する信号をブロードキャストするためにどのアンテナ要素が使用されるのかを選択するために、該ダイバーシティアンテナによって使用される、請求項２に記載の分散アンテナシステム。
【請求項６】
前記分散アンテナシステムは、２つ以上のアンテナユニットを含み、前記基準クロック信号は、連続的にブロードキャストを同期させて干渉を回避するために、該２つ以上のアンテナユニットのそれぞれによって使用される、請求項２に記載の分散アンテナシステム。
【請求項７】
前記第２の無線サービスは、医療用遠隔測定サービスである、請求項１に記載の分散アンテナシステム。
【請求項８】
分散アンテナシステムであって、
第１の結合ユニットを少なくとも１つのアンテナユニットに接続する少なくとも１つのケーブルランと、
該第１の結合ユニットであって、該第１の結合ユニットは、基地局を該第１の結合ユニットに接続することができる基地局接続を含み、該基地局と該ケーブルランとの間で、第１の無線サービスに対応する信号を転送することができる、第１の結合ユニットと、
該第１の結合ユニットに連結されている少なくとも１つの無線サービスアクセスポイントであって、該無線サービスアクセスポイントは、該分散アンテナシステムを介して第２の無線サービスを提供することができ、制御信号ポートを含み、アンテナユニットを制御するための制御信号を発生させるように適合されている、少なくとも１つの無線サービスアクセスポイントと、
第２のケーブルランであって、該少なくとも１つの無線サービスアクセスポイントの該制御信号ポートを少なくとも１つのアンテナユニットに接続し、制御信号を該少なくとも１つのアンテナユニットに転送することができる、第２のケーブルランと、
該ケーブルランに接続されている第２のサービスコンバイナであって、該第１の無線サービスに対応する信号および該第２の無線サービスに対応する信号を受信すること、および、該ケーブルランと該分散アンテナシステムの少なくとも１つのアンテナユニットとの間で、該第１の無線サービスに対応する信号および該第２の無線サービスに対応する信号を転送することができる、第２のサービスコンバイナと
を備えている、分散アンテナシステム。
【請求項９】
前記第１の結合ユニットに接続されている基準クロック信号発生器であって、基準クロック信号を発生させることができる基準クロック信号発生器をさらに備え、該第１の結合ユニットは、該基準クロック信号を受信すること、および前記ケーブルランを介して該基準クロック信号を少なくとも１つのアンテナユニットに伝送することができる、請求項８に記載の分散アンテナシステム。
【請求項１０】
前記第１の結合ユニットは、前記第２の無線サービスに対応する前記アクセスポイントから受信した信号を中間周波数信号に変換するために前記基準クロック信号を使用し、前記ケーブルランを介して該中間周波数信号を少なくとも１つのアンテナユニットに転送する、請求項９に記載の分散アンテナシステム。
【請求項１１】
第２の結合ユニットは、前記第１の結合ユニットから受信した前記中間周波数信号を前記第２の無線サービスに対応する信号に変換するために前記基準クロック信号を使用し、該第２の無線サービスに対応する信号を少なくとも１つのアンテナユニットに転送する、請求項１０に記載の分散アンテナシステム。
【請求項１２】
前記少なくとも１つのアンテナユニットは、２つ以上のアンテナ要素を有するダイバーシティアンテナであり、前記制御信号および前記基準クロック信号は、前記第２の無線サービスに対応する信号をブロードキャストするためにどのアンテナ要素が使用されるのかを選択するために、該ダイバーシティアンテナによって使用される、請求項１０に記載の分散アンテナシステム。
【請求項１３】
前記分散アンテナシステムは、２つ以上のアンテナユニットを含み、前記基準クロック信号は、連続的にブロードキャストを同期させて干渉を回避するために、該２つ以上のアンテナユニットのそれぞれによって使用される、請求項１０に記載の分散アンテナシステム。
【請求項１４】
前記第２の無線サービスは、医療用遠隔測定サービスである、請求項８に記載の分散アンテナシステム。
【請求項１５】
分散アンテナシステムであって、
第１の結合ユニットを少なくとも１つのアンテナユニットに接続するケーブルランと、
該第１の結合ユニットであって、該第１の結合ユニットは、基地局を該第１の結合ユニットに接続することができる基地局接続を含み、該基地局と該ケーブルランとの間で、第１の無線サービスに対応する信号を転送することができる、第１の結合ユニットと、
第２の無線サービスネットワークを該第１の結合ユニットに接続することができる、ネットワークポートであって、該第１の結合ユニットは、該第２の無線サービスネットワークと該ケーブルランとの間で、該第２の無線サービスに対応する信号を転送することができる、ネットワークポートと、
該ケーブルランに接続されている第２の結合ユニットであって、該第２の結合ユニットは、該第１の無線サービスに対応する第１の信号および該第２の無線サービスに対応する第２の信号を受信すること、および該ケーブルランと該第２の結合ユニットに接続されている少なくとも１つのアンテナとの間で、該第１の無線サービスに対応する信号を転送することができる、第２の結合ユニットと、
該第２の結合ユニットに接続されているインターフェースモジュールであって、該インターフェースモジュールは、該第２の結合ユニットを少なくとも１つの無線サービスアクセスポイントに接続すること、および、該第２の結合ユニットと該少なくとも１つの無線アクセスポイントとの間で、該第２の無線サービスに対応する該第２の信号を転送することができる、インターフェースモジュールと
を備えている、分散アンテナシステム。
【請求項１６】
基準クロック発生器を前記第１の結合ユニットに接続することができる基準クロックポートをさらに備え、該第１の結合ユニットは、前記ケーブルランを介して、該基準クロック発生器から受信した基準クロック信号を前記第２の結合ユニットに転送することができ、
該第２の結合ユニットは、該ケーブルランと前記インターフェースモジュールとの間で該基準クロック信号を転送することができる、該インターフェースモジュールへの接続を含む、請求項１５に記載の分散アンテナシステム。
【請求項１７】
前記分散アンテナシステムは、２つ以上のアンテナユニットを含み、前記基準クロック信号は、連続的にブロードキャストを同期させて干渉を回避するために、該２つ以上のアンテナユニットのそれぞれによって使用される、請求項１６に記載の分散アンテナシステム。
【請求項１８】
電源を前記第１の結合ユニットに接続することができる電力ポートをさらに備え、該第１の結合ユニットは、前記ケーブルランを介して、該電源から受信した電力信号を前記第２の結合ユニットに転送することができ、
該第２の結合ユニットは、該ケーブルランと前記インターフェースモジュールとの間で該電力信号を転送することができる、該インターフェースモジュールへの接続を含む、請求項１５に記載の分散アンテナシステム。
【請求項１９】
前記第２の無線サービスに対応する信号は、ネットワークデータ信号および制御信号を含み、
該制御信号は、前記無線サービスアクセスポイントの機能を制御することができる、請求項１５に記載の分散アンテナシステム。
【請求項２０】
前記少なくとも１つのアンテナユニットは、２つ以上のアンテナ要素を有するダイバーシティアンテナであり、前記制御信号および基準クロック信号は、前記第２の無線サービスに対応する信号をブロードキャストするためにどのアンテナ要素が使用されるのかを選択するために、該ダイバーシティアンテナによって使用される、請求項１９に記載の分散アンテナシステム。
【発明の詳細な説明】
【技術分野】
【０００１】
（関連出願の相互参照）
本出願は、２００８年６月２０日出願の米国仮特許出願第６１／０７４，１５７号および２００９年６月２０日出願の米国特許出願第１２／４８８，５５９号の法律によってもたらされる全ての利益を主張し、上記出願は、ここでその全体内容が参照により援用される。
【０００２】
本出願は、共有に係る２００７年１２月１７日出願の米国特許出願第１１／９５８，０６２号および２００８年５月１３日出願の同第６１／０５２，８５１号に関連し、上記出願は、ここでその全体内容が参照により援用される。
【０００３】
（連邦支援の研究に関する言明）
該当なし。
【０００４】
（マイクロフィッシュアペンディックスへの参照）
該当なし。
【０００５】
（背景）
（本発明の技術分野）
本発明は、分散アンテナシステム（ＤＡＳ）、より具体的には、ＤＡＳを介した能動アンテナのリアルタイム制御のための方法およびシステムを対象とする。
【０００６】
分散アンテナシステムは、建物内部および構内にわたる公共安全、携帯電話通信、無線ＬＡＮ、および医療用遠隔測定等の、無線サービスの適用範囲を提供または強化するために使用される。ＤＡＳの一般的アーキテクチャを図１に示す。
【０００７】
単一のＤＡＳは、単一の無線サービス（ＷＳ）、または複数の帯域にわたって動作する多数の無線サービスの組み合わせを提供することができる。医療用遠隔測定サービスに関して、医療用遠隔測定システム（ＭＴＳ）のアクセスポイントは、遠隔配線クロゼットを通して、ならびに無線医療用遠隔測定システム（ＷＭＴＳ）モジュールおよびサービスコンバイナモジュールを使用してＤＡＳに接続することができ、ＷＭＴＳシステムは、１つ以上の受動アンテナを使用したＤＡＳによってサポートすることができる。
【０００８】
マルチサービスＤＡＳの１つの所望の特徴は、ＤＡＳによってサポートされる全てのサービスおよび周波数帯域のための信号を放射および受信するために、単一のアンテナを使用することができることである。このようなアンテナは、関心の全ての周波数帯域をカバーする（すなわち、許容可能な性能を有する）ことが必要になり、一般的に、ブロードバンドアンテナと称される。ＤＡＳアンテナのためのサポートされる周波数範囲の一例は、４００ＭＨｚ〜６ＧＨｚである。ＭＩＭＯに基づくサービスを提供するために、共通の場所で複数のアンテナ要素を含むＭＩＭＯアンテナを使用することができる。
【０００９】
ＤＡＳシステムの中の信号の流れに関して、ダウンリンク信号という用語は、ソース伝送器（例えば、セルラ基地局）によってアンテナを通して端末に伝送されている信号を指し、また、アップリンク信号という用語は、アンテナによって受信されてソース受信器に流れる、端末によって伝送される信号を指す。多くの無線サービスは、アップリンクおよびダウンリンクの両方を有するが、一部のものは、ダウンリンクだけ（例えば、モバイルビデオブロードキャストサービス）、またはアップリンクだけ（例えば、ある種類の医療用遠隔測定）しか有さない。
【背景技術】
【００１０】
（先行技術の説明）
従来のＷＭＴＳは、イーサネット（登録商標）または他のＬＡＮ接続等の有線接続によって、サポートするネットワークに接続されるアクセスポイントを含む。アクセスポイントは、一般的に、最大で４つのラジオ周波数（ＲＦ）接続と、少なくとも１つの制御および電力接続とを含む。ＲＦ接続のそれぞれは、アンテナに、または遠隔設置された能動アンテナユニットに直接的に接続することができる。アクセスポイントが１つ以上の遠隔設置された能動アンテナユニットに接続される場合、電力および制御信号を遠隔設置された能動アンテナに提供するために、制御および電力接続が使用される。いくつかの実施形態では、アンテナダイバーシティは、所与のＷＭＴＳリンクのための各アンテナユニットにおいて２つ以上の別個のアンテナ要素を提供することによって、無線リンクの品質および信頼性を向上させるために提供され得る。
【発明の概要】
【課題を解決するための手段】
【００１１】
ＤＡＳの恩恵のうちの１つは、多数の異なる無線サービスを、共通の物理的基盤（配線、配線クロゼットユニット、アンテナユニット、および他の物理的構成要素）を介して提供することができるようになることである。したがって、物理的基盤が組み込まれると、付加的な無線サービスをサポートするために同じ物理的基盤を使用することができ、付加的な装置およびその装置の組み込みの出費を回避することができる。加えて、運用上の恩恵には、より低いエネルギー費、および潜在的に、より低い維持費が挙げられる。
【００１２】
ＷＭＴＳは、ＤＡＳによってサポートすることができるが、ＤＡＳは、ＷＭＴＳに特有の側面をサポートするように変更する必要があり得る。例えば、ＷＭＴＳが能動アンテナを必要とする場合、電力および制御信号を能動アンテナに提供するように、１つ以上の付加的な接続が必要になり得る。遠隔アンテナの場所の近くに別個の電力接続を得ることが可能であり得るが、能動アンテナの制御に必要とされる制御信号を提供するために、別個の制御ケーブルを使用することができる。別個の制御ケーブルは、無線ネットワークサービスを搬送し、一方で、別個のチャネルで制御信号を搬送し得る、ＤＡＳ構成要素のうちのいずれかの不具合からの保護を提供することができる。別個の制御ケーブルを通して、ＤＡＳの構成要素は、ＤＡＳ信号の不具合を基地局または制御システムに報告することができる。
【００１３】
ＷＭＴＳ信号は、ＤＡＳの既存の基盤を介して搬送することができ、かつ遠隔地でＷＭＴＳ能動アンテナに接続することができる。ダウンリンクで、ＤＡＳは、ＷＭＴＳアクセスポイントからのＷＭＴＳのＲＦ信号を、ＤＡＳのケーブルランを介したアンテナユニットへの伝送のための中間周波数（ＩＦ）に受動的に変換することができる、配線クロゼットの中の受動サービス結合ユニットを使用することができる。アンテナユニットに接続された（または組み込まれた）類似した受動サービス結合ユニットは、ＩＦ信号を、アンテナユニットによる無線デバイスへの伝送のための適切なＲＦ信号周波数に受動的に変換して戻すことができる。同様に、アップリンクで、ＤＡＳは、アンテナユニットによって受信したＷＭＴＳのＲＦ信号を、ＤＡＳのケーブルランを介した伝送のための中間周波数（ＩＦ）に受動的に変換するように、アンテナユニットの中の受動サービス結合ユニットを使用することができ、配線クロゼットの中の受動サービス結合ユニットは、ＷＭＴＳアクセスポイントへの入力のために、ＩＦ信号を適切なＲＦ信号周波数に変換して戻すために使用することができる。本発明の代替の実施形態では、能動信号変換を使用することができる。
【００１４】
本発明の一実施形態によれば、ＷＭＴＳは、別個の制御ケーブルおよび制御信号の動作を必要とせずに、ＤＡＳによってサポートすることができる。
【００１５】
本発明の一実施形態によれば、１つ以上のＷＭＴＳアクセスポイントを、１つ以上のＤＡＳアンテナユニットに接続することができ、ＤＡＳは、ＷＭＴＳデータおよび制御信号を、ＤＡＳの主または遠隔配線クロゼットユニットに接続されたＷＭＴＳネットワークに送り戻すために使用することができる。
【００１６】
本発明の一実施形態によれば、１つ以上の基準クロック信号発生器を、１つ以上の主または遠隔配線クロゼットユニットに接続することができ、ＤＡＳは、１つ以上の基準クロック信号を、ＤＡＳのあらゆる構成要素に分配することができる。基準クロック信号は、ケーブルランを介して転送される信号の周波数および／または時間スロット変換を同期させるように、配線クロゼットユニットおよびアンテナユニットによって使用することができる。ケーブルランは、同じケーブルを介して同時に信号を搬送するように、異なる、または非干渉周波数帯域を使用することによって、複数の無線サービスを、それらのそれぞれの基地局および／またはサービスネットワークとアンテナユニットとの間で搬送することができる。
【００１７】
基準クロック信号は、ダイバーシティアンテナシステムの中のアンテナ要素および構成要素の動作および選択を同期させるために使用することができる。基準クロック信号はまた、同じ周波数帯域での複数のアンテナユニットのブロードキャストを同期または調整させて、同時に同じ周波数でブロードキャストする２つ以上のアンテナユニットに関連する干渉を回避するために使用することができる。各アンテナユニットは、所定のシーケンスで、または規定の時間スペースを伴う所定の時間スロットで、特定の周波数でブロードキャストするように制御することができる。一実施形態では、制御信号は、各アンテナユニットのブロードキャスト動作を制御または調整するために使用することができる。代替の一実施形態では、各アンテナは、シーケンス番号を割り当てられ、シーケンスの中の特定のアンテナがブロードキャストした後にだけブロードキャストするようにプログラムすることができ、または、各アンテナは、時間スロットを割り当てられ、割り当てた時間スロット中に、特定の周波数でだけ伝送するようにプログラムすることができる。
【００１８】
本発明の一実施形態によれば、１つ以上の電源を、１つ以上の主または遠隔配線クロゼットユニットに接続して、ＤＡＳを介して、電力信号をＤＡＳのあらゆる構成要素に分配するために使用することができる。この実施形態では、遠隔配線クロゼットユニットおよびアンテナユニットは、ＤＡＳによって供給される電力を使用することができ、遠隔配線クロゼットおよびアンテナユニットの場所における電源の必要性を取り除いている。
【００１９】
本発明の１つの目的は、同時に多数の無線サービスをサポートできるＤＡＳを提供することである。
【００２０】
本発明の別の目的は、同時に多数の無線サービスをサポートできるＤＡＳを提供し、かつ１つ以上の能動アンテナのリアルタイム制御に備えることである。
【００２１】
本発明の別の目的は、同時に多数のＴＤＤおよびＦＤＤに基づく無線サービスをサポートできるＤＡＳを提供することである。
【００２２】
本発明の別の目的は、同時に多数のＴＤＤおよびＦＤＤに基づく無線サービスをサポートできるＤＡＳを提供し、かつ１つ以上の能動アンテナのリアルタイム制御に備えることである。
【００２３】
本発明の別の目的は、同じＴＤＤ増幅器を使用して、同時に多数のＴＤＤに基づく無線サービスをサポートすることができ、かつＴＤＤに基づく無線サービスの全てをリアルタイムで制御できるＤＡＳを提供することである。
【００２４】
本発明は、集合および非集合構成の両方において、ダウンリンクおよびアップリンクの両方の信号の流れに対して、単一サービスおよび多重サービスのＤＡＳに適用することができる。
【００２５】
本発明のこれらの、および他の能力は、本発明そのものに加えて、以下の図面、詳細な説明、および特許請求の範囲を参照することによってより十分に理解されるであろう。
【図面の簡単な説明】
【００２６】
【図１】図１は、本発明によるＤＡＳのブロック図である。
【図２】図２は、本発明によるＭＴＳアクセスポイントを有するＤＡＳのブロック図である。
【図３】図３は、本発明の一側面によるＤＡＳのブロック図である。
【図４】図４は、本発明の一側面によるＤＡＳのブロック図である。
【図５】図５は、本発明の一側面によるＤＡＳのブロック図である。
【図６】図６は、本発明の一側面によるＤＡＳのブロック図である。
【発明を実施するための形態】
【００２７】
（好ましい実施形態の詳細な説明）
本発明は、分散アンテナシステム（ＤＡＳ）を介して、医療用遠隔測定サービスを含む無線サービスを搬送するための方法およびシステムを対象とする。医療用遠隔測定サービスは、遠隔地にある患者の監視および医療用監視装置と要員との間の通信のために使用することができる、例えば６００ＭＨｚおよび１４００ＭＨｚ帯域の無線サービス（ＷＳ）を含む。本発明の一実施形態によれば、ＤＡＳは、ＷＭＴＳアクセスポイントからの各ＷＭＴＳサービスをＤＡＳに接続し、かつＤＡＳを通してＷＭＴＳサービス信号を転送できるようにするインターフェースであるＷＭＴＳモジュールを含むことができる。システムはまた、ＷＭＴＳアクセスポイントと、ＤＡＳ上の能動アンテナのうちのいずれかとの間で、電力、制御、および状態の情報を転送するための１つ以上の制御チャネルを含むことができる。制御チャネルは、マルチ導体ツイストペア導電ケーブルであるＣＡＴ５などのケーブルとすることができ、または制御チャネルは、ＷＭＴＳアクセスポイントと、ＤＡＳ上の能動アンテナを含む被管理構成要素のうちのいずれかとの間で、電力、制御、および／または状態の情報を転送するために使用することができる、未使用の周波数帯域もしくはチャネル、または既存の信号の利用可能な時間スロットとすることができる。
【００２８】
本発明はまた、ＴＤＤ機能およびダイバーシティアンテナシステム機能を制御するための制御チャネルを利用する他の無線サービス（ＷＳ）を分配するために使用することができる。例えば、９１５ＭＨｚおよび２．４ＧＨｚの周波数帯域の無線サービスを、本発明によるＤＡＳによってサポートすることができる。
【００２９】
ＤＡＳは、制御および構成の情報を、ＤＡＳの各被管理デバイスまたは構成要素に送信し、およびそこから状態情報を受信するために、１つ以上の制御チャネルを利用することができる。制御チャネル信号は、ＥＩＡ  ＲＳ−２３２、ＲＳ−４２２、ＲＳ−４３２、ＲＳ−４４９、ＲＳ−４８５、ＲＳ−５３０、２０ｍＡ電流ループ、イーサネット（登録商標）、トークンリング、ＳＣＳＩ、ファイバーチャネル、および類似した技術等の、いずれかの周知の方法を使用して、ＤＡＳの各被管理構成要素に接続された１つ以上の別個のケーブルを介して転送することができる。代替として、制御チャネル信号は、ＤＡＳの構成要素間で情報を搬送するために使用される信号を送信および受信するように、ＤＡＳの利用周波数帯域またはチャネルのうちの１つ以上を使用して、ＤＡＳの既存のケーブルを介して転送することができる。制御チャネルのそれぞれは、同じまたは異なる周波数帯域またはチャネルを使用することができ、異なる周波数帯域またはチャネルは、信号を運搬するために使用される通信媒体に基づいて使用することができる。単一の周波数帯域またはチャネルは、時間ドメイン／分割多重化（ＴＤＭ）、周波数ドメイン／分割多重化（ＦＤＭ）、および多値変調等の多重化技術を使用して、２つ以上の制御チャネル信号を搬送するために使用することができる。例えば、制御チャネルは、有線媒体を介して３５ＭＨｚ、６０ＭＨｚ、または８０ＭＨｚ帯域で１つ以上のチャネルを、また、光媒体を介して４００ＭＨｚ帯域で１つ以上のチャネルを使用することができる。ＤＡＳは、ＤＡＳを介して制御チャネルでデータを搬送する変調スキームとして、周波数偏移変調（ＦＳＫ）または振幅偏移変調（ＡＳＫ）を使用することができる。主配線クロゼットまたは遠隔配線クロゼットに接続されるＤＡＳ管理システムは、構成要素に割り当てられる一意的なアドレスを使用して、ＤＡＳの各被管理構成要素と通信することができる。制御チャネルのうちの１つ以上はまた、アンテナユニットとデータネットワークに接続されたアクセスポイントとの間で、１つ以上のアンテナユニットによって受信されるネットワークデータを転送するために使用することができる。
【００３０】
制御チャネルのそれぞれは、異なる機能を提供するために使用することができる。例えば、１つの制御チャネルを、ＤＡＳの各被管理構成要素の動作を制御および構成するために、例えばソフトウェア管理システムによって使用することができ、別の制御チャネルを、ＴＤＤ信号とともに使用される増幅器の切替をリアルタイムで制御するために使用することができ、そして、別の制御チャネルを、ダイバーシティアンテナシステムを構成するアンテナ要素間の切替をリアルタイムで制御するために使用することができる。代替として、または加えて、制御チャネルは、ＤＡＳを介して無線サービスまたは制御チャネルを転送するために使用される中間周波数を変更するために使用することができる。制御チャネルは、ＤＡＳの被管理構成要素の他の機能をリアルタイムで制御するために使用することができる。本発明の一実施形態によれば、各機能は、コマンド、命令、または構成の情報をＤＡＳの被管理構成要素に送信するために、およびＤＡＳの被管理構成要素から応答、肯定応答、および状態の情報を受信するために、異なる制御チャネルを使用することができ、通信は、各方向で同じまたは異なるチャネルを使用した全二重または半二重とすることができる。本発明の一実施形態によれば、１つの制御チャネルは、制御および状態の情報を送信および受信するために使用することができる。
【００３１】
１つ以上の制御チャネルは、アンテナユニット、配線クロゼットユニット、およびＤＡＳに接続される他の任意のデバイスを含む、ＤＡＳの被管理構成要素のうちのいずれかまたは全ての動作を制御および構成するために使用することができる。被管理構成要素は、アンテナユニットのうちの１つを通して接続される無線デバイスを含むことができる。被管理機能は、デバイス（またはその構成要素）のオンまたはオフ、デバイス（またはその構成要素）のリセット、構成パラメータの設定、デバイス（またはその構成要素）の状態の確認、デバイス（またはその構成要素）あるいは全体としてのＤＡＳの動作の試験を含むことができる。各デバイスは、管理システムがＤＡＳを介してデバイスと選択的に通信できるようにする、アドレスまたは識別子を有することができる。
【００３２】
図２に示されるように、無線医療用遠隔測定サービスは、遠隔配線クロゼット２１０（または主配線クロゼット２０８）を通して、ＭＴＳアクセスポイント２２０をＤＡＳに接続することによって、ＤＡＳ２００によってサポートすることができる。能動または受動サービス結合構成要素は、ケーブルラン２４０を介した遠隔アンテナユニット２５０への伝送のために、ＭＴＳ信号を他の無線サービスの信号と結合する（および切り離す）ように使用することができる。アンテナユニット２５０において、能動または受動サービス結合構成要素は、他のサービスからＭＴＳ信号を分離する（および結合する）ことができる。ＭＴＳアクセスポイント２２０のネットワークポート２２４を通してＭＴＳネットワークから受信したＭＴＳ信号は、図１に示されるように、ＭＴＳに基づく装置およびシステムに伝送するために、能動または受動アンテナ要素に伝達することができる。
【００３３】
本発明の一実施形態によれば、また図２に示されるように、ＤＡＳは、参照により本明細書に組み込まれる、２００８年５月１３日出願の、共有かつ同一人に譲渡された米国特許出願第６１／０５２，８５１号に説明されるＯＣＸＯクロックまたはパイロットクロック信号等の、基準クロックまたは同期（ｓｙｎｃ）信号を発生させるためのクロック構成要素２０４を含むことができる。クロック発生構成要素２０４は、例えばサービス結合ユニットを使用して、主配線クロゼット２０８で、または遠隔配線クロゼット２１０のうちのいずれかで、ＤＡＳに接続することができる。一般的に、基準クロック信号は、１０ＭＨｚ〜２０ＭＨｚのクロック信号となる。基準クロック信号は、ＤＡＳを介して、構成要素のうちのいずれかまたは全てに転送することができる。基準クロック信号は、ＤＡＳの物理的基盤を介して分配される１．５ＧＨｚ〜２．０ＧＨｚの搬送信号で搬送され得る。ＤＡＳの各構成要素は、搬送信号から基準クロック信号を再生するか、取り出すか、または復元するように適合および構成される、フェーズロックループ（ＰＬＬ）に基づく構成要素を含むことができる。本発明のいくつかの実施形態では、クロックは、他のサービスに、特に通信媒体が光通信媒体を含む場合に、ノイズまたは干渉を導入する可能性を低減するために、高い周波数（１．５〜３ＧＨｚ）で送達することができる。本発明のいくつかの実施形態では、通信媒体が同軸ケーブルを含む場合、基準クロック信号を送達するために、元々のクロック周波数１０〜２０ＭＨｚを使用することができる。基準クロック信号は、ラジオ周波数（ＲＦ）信号を、例えば配線クロゼットから遠隔アンテナユニットまでなど、ＤＡＳの異なる通信媒体を介した伝送のための中間周波数（ＩＦ）信号にアップ変換またはダウン変換するために、および、ＩＦ信号を、アンテナユニットによるブロードキャストのためのＲＦ信号にアップ変換またはダウン変換するために、およびアップリンク方向での類似した変換のために使用することができる。
【００３４】
図３に示されるように、本発明の一実施形態によるシステム３００は、遠隔配線クロゼット３１０と、１つ以上の配線クロゼットまたは結合ユニット３１４と、１つ以上のＭＴＳアクセスポイントまたはインターフェース３２０と、１つ以上のケーブルラン３４０と、１つ以上のアンテナユニット３５０とを含むことができる。システム３００は、例えば、６００ＭＨｚ帯域を介した通信のための能動アンテナユニット３５２Ａ、１４００ＭＨｚ帯域を介した通信のための能動アンテナユニット３５２Ｂ、２．４ＧＨｚ帯域を介した通信のための受動アンテナユニット、および５．８ＧＨｚ帯域を介した通信のための受動アンテナなど、能動および受動アンテナユニットまたはモジュール３５０の組み合わせを含むことができる。システム３００は、随意に、他の無線サービスを提供するための１つ以上のＢＴＳシステム（図２に示す）、１つ以上の集合ユニット３１２、および主クロゼットユニット（図２に示す）を含むことができる。結合ユニット３１４のうちの１つ以上は、介在する配線クロゼットを通して直接的または間接的のいずれかで、１つ以上のＢＴＳシステムを接続できるようにする接続を含むことができる。
【００３５】
ＭＴＳアクセスポイント３２０は、サポートするＭＴＳネットワークをＤＡＳ３００に接続し、ＭＴＳアクセスポイント３２０と、（図１に示される）無線ＭＴＳ装置、サーバおよび端子との間で、ＤＡＳのアンテナユニット３５０を使用して、ＭＴＳネットワークポート３２４を通して受信したＭＴＳ信号を無線で転送できるようにする。ＭＴＳアクセスポイント３２０は、ＭＴＳアクセスポイント３２０とＭＴＳアンテナユニット３５２Ａおよび３５２Ｂとの間で、ＭＴＳのＲＦ信号を転送するために、１つ以上のＲＦ信号ポートを含むことができる。ＭＴＳアクセスポイント３２０はまた、ＭＴＳアクセスポイント３２０とＭＴＳアンテナユニット３５２Ａおよび３５２Ｂとの間で、電力、制御、および状態の情報を転送するために、１つ以上の制御ポート３２２Ａを含むことができる。
【００３６】
遠隔配線クロゼット３１０は、ＤＡＳ３００を介して搬送される異なる無線サービスの信号を結合するために使用することができる１つ以上のサービス結合ユニット３１４を含むことができる。各サービスコンバイナ３１４Ａおよび３１４Ｂは、１つ以上の無線サービス（ＷＳ）に接続することができ、また、ＲＦ無線信号のそれぞれを、ＤＡＳのケーブルラン３４０を介したアンテナユニット３５０への伝送のために、中間周波数（ＩＦ）信号（未使用の周波数帯域またはチャネルに対応する）に変換することができる。各アンテナユニット３５２Ａおよび３５２Ｂにおいて、類似したサービスコンバイナ３５４Ａおよび３５４Ｂは、受信したＩＦ信号を、アンテナ要素３５６Ａ、３５６Ｂ、３５８Ａ、および３５８Ｂによる伝送のためのＲＦ信号に変換することができる。同様に、アップリンク信号について、サービスコンバイナ３５４Ａおよび３５４Ｂは、ＲＦ信号を、ＤＡＳのケーブルラン３４０を介したサービスコンバイナ３１４Ａおよび３１４Ｂへの伝送のためのＩＦ信号（未使用の周波数帯域またはチャネルに対応する）に変換し、サービスコンバイナは、ＩＦ信号を、ＭＴＳアクセスポイント３２０への伝送のためのＲＦに戻るように、およびＭＴＳネットワークに戻るように変換する。基準クロック信号発生器３０４は、ＤＡＳを介して基準クロック信号をあらゆる構成要素に分配できるように、ＤＡＳの信号結合要素３１４のうちの１つに接続することができる。各サービスコンバイナ３１４Ａ、３１４Ｂ、３５４Ａ、および３５４Ｂは、クロック再生回路またはフェーズロックループに基づく回路を含むことができ、これら回路は、基準クロック信号を受信し、基準クロック信号を使用して、同期された様式で、必要に応じて、ＤＡＳ信号をＲＦからＩＦに、およびＩＦからＲＦに、アップ変換またはダウン変換する。
【００３７】
本発明の一実施形態によれば、能動アンテナユニット３５２Ａおよび３５２Ｂのそれぞれは、ＷＭＴＳをサポートするための少なくとも１つのダイバーシティアンテナ構成３５８Ａおよび３５８Ｂと、他の無線サービスをサポートするための少なくとも１つの別個のアンテナ要素３５６Ａおよび３５６Ｂとを含むことができる。ダイバーシティアンテナ構成は、向上した通信性能および信頼性を提供するために、２つ以上のダイバーシティアンテナ要素と、関連する送受信機構成要素とを含むことができる。ダイバーシティアンテナは、ダイバーシティアンテナ要素および構成要素の動作の同期および制御を行うように、基準クロック信号または基準クロック信号に由来する信号を使用することができる。基準クロック信号はまた、各アンテナユニット３５０がいつ特定の周波数帯域で伝送するのかを制御することによって、および干渉を引き起こし得る同じ周波数帯域で同時に２つ以上のアンテナユニット３５０が伝送することを制限または防止することによって、干渉を低減または排除するように、アンテナユニット３５０を同期させるために使用することができる。各サービスコンバイナ３５４Ａおよび３５４Ｂはまた、１つ以上の受動アンテナ要素（図示せず）に接続することができる。
【００３８】
図３に示されるように、システム３００はまた、ＭＴＳアクセスポイント３２０と、ＤＡＳの能動アンテナユニット３５２Ａおよび３５２Ｂとの間で、電力、制御、および状態の情報を転送するために使用することができる制御チャネル３２２を含むことができる。制御チャネル３２２は、ＭＴＳアクセスポイント３２０の制御チャネルポート３２２Ａと、ＤＡＳの能動アンテナユニット３５２Ａおよび３５２Ｂとの間で、別個のケーブル接続ランを介して転送することができる。本発明の一実施形態によれば、ケーブルは、ＣＡＴ５のマルチ導体ツイストペアケーブルとすることができ、制御信号および電力は、イーサネット（登録商標）技術を介して、電力を使用して、アンテナユニット３５２Ａおよび３５２Ｂに提供することができる。代替として、電力は、ケーブルラン３４０を介して送信される直流信号を使用して、アンテナユニット３５２Ａおよび３５２Ｂに提供することができる。本発明の他の実施形態では、ケーブルは、（例えば、イーサネット（登録商標）またはＲＳ−２３２通信を使用する）同軸ケーブル、光ファイバーケーブル、シングルツイストペアケーブル、またはマルチ導体ケーブルとすることができる。加えて、ＭＴＳアクセスポイント３２０と、ＤＡＳの能動アンテナユニット３５２Ａおよび３５２Ｂとの間の接続は、必要に応じて信号変換のためのインターフェースを用いて、２種類以上のケーブルを含むことができる。
【００３９】
図４は、本発明の代替の実施形態によるシステム４００を示す。図３と同様に、システム４００は、１つ以上の配線クロゼットまたは結合ユニット４１４Ａおよび４１４Ｂを含む遠隔配線クロゼット４１０と、インターフェースモジュール４１６を通して無線ＭＴＳサービスネットワークをＤＡＳに接続するネットワークポート４２４を含むＭＴＳアクセスポイント４２０と、ケーブルラン４４０と、アンテナユニット４５０とを含むことができる。アンテナユニット４５０は、能動アンテナ４５２Ａおよび４５２Ｂとすることができ、また、サービス結合ユニット４５４Ａおよび４５４Ｂと、ＷＭＴＳのためのダイバーシティアンテナ構成４５８Ａおよび４５８Ｂと、他の無線サービス（ＷＳ）のための少なくとも１つの別個のアンテナ要素４５６Ａおよび４５６Ｂとを含むことができる。結合ユニット４１４のうちの１つ以上は、介在する配線クロゼットを通して直接的または間接的のいずれかで、１つ以上のＢＴＳシステムを接続できるようにする接続を含むことができる。この実施形態では、システム４００はまた、ＭＴＳアクセスポイント４２０をＤＡＳ４００とインターフェースさせるためのＷＭＴＳモジュール４１６を含むことができる。
【００４０】
本発明のこの実施形態では、制御チャネルをサポートするために、別個のケーブル接続は不要である。本発明のこの実施形態によれば、ＭＴＳアクセスポイント４２０の制御チャネルポート４２２Ａは、ＷＭＴＳモジュール４１６の制御チャネルポートに接続することができ、制御チャネル信号４２２は、ＤＡＳを介したアンテナユニット４５０への伝送のために、ＷＭＴＳモジュール４１６によって中間周波数（ＩＦ）制御信号に変換することができる。各アンテナユニット４５０では、サービスコンバイナ４５４Ａおよび４５４Ｂを含むことができ、これらサービスコンバイナは、ＩＦ制御信号を受信し、制御チャネル信号４２２を取り出し、制御チャネル信号４２２を能動アンテナ４５２Ａおよび４５２Ｂに転送するように適合される。同様に、サービスコンバイナ４５４Ａおよび４５４Ｂは、能動アンテナ４５２Ａおよび４５２Ｂから制御チャネル信号４２２を受信すること、ＩＦ制御信号を受信することができるＷＭＴＳモジュール４１６へのＤＡＳを介した伝送のために、制御チャネル信号４２２をＩＦ制御信号に変換すること、制御チャネル信号４２２を取り出すこと、および、制御チャネルポート４２２Ａを通して、制御チャネル信号４２２をＭＴＳアクセスポイント４２０に転送することができる。各サービスコンバイナユニットでの制御チャネル信号とＩＦ制御信号との間の変換は、ＤＡＳを介して分配される基準クロック信号を使用して達成することができる。基準クロック信号発生器４０４は、基準クロック信号をＤＡＳを介して分配できるように、ＤＡＳの信号結合要素４１４のうちの１つに接続することができる。各サービスコンバイナ４１４Ａ、４１４Ｂ、４５４Ａ、および４５４Ｂ、ならびにＷＭＴＳモジュール４１６は、クロック再生回路またはフェーズロックループに基づく回路を含むことができ、これら回路は、基準クロック信号を受信し、かつ、基準クロック信号を使用して、同期された様式で、必要に応じて、ＤＡＳ信号をＲＦからＩＦに、およびＩＦからＲＦに、アップ変換またはダウン変換する。
【００４１】
制御チャネルは、能動アンテナ４５２Ａおよび４５２Ｂの（ダイバーシティアンテナのための）切替機能および増幅機能を、リアルタイムで制御するために使用することができる。本発明の一実施形態によれば、ＷＭＴＳは、時分割二重（ＴＤＤ）信号とすることができ、制御チャネルは、ＷＭＴＳによって使用される、ＴＤＤに基づく通信のタイミングおよび時間スロット選択を制御するために使用することができる。加えて、制御チャネルは、能動アンテナ４５２Ａおよび４５２Ｂによって伝送および受信されるＷＭＴＳ信号の増幅を制御するために使用することができる。アンテナユニット４５０のうちの１つまたは１組のアンテナユニット４５０の切替機能および増幅機能の制御は、基準クロック信号または基準クロック信号に由来する信号を使用して同期を行うことができる。本発明の一実施形態によれば、１つ以上の能動アンテナ４５２は、ＤＡＳ４００に接続され得る。各能動アンテナ４５２には、別個の制御チャネルを使用することができ、周知の多重化技術（例えば、時間ドメイン／分割多重化、周波数ドメイン／分割多重化、または多値変調等）を使用して、同じ信号または周波数帯域で一緒に多重化され得る。
【００４２】
本発明の一実施形態によれば、能動アンテナユニット４５２Ａおよび４５２Ｂのそれぞれは、ＷＭＴＳをサポートするための少なくとも１つのダイバーシティアンテナ構成４５８Ａおよび４５８Ｂと、他の無線サービスをサポートするための少なくとも１つの別個のアンテナ要素４５６Ａおよび４５６Ｂとを含むことができる。ダイバーシティアンテナ構成は、向上した通信性能および信頼性を提供するために、２つ以上のダイバーシティアンテナ要素と、関連する送受信機構成要素とを含むことができる。ダイバーシティアンテナは、ダイバーシティアンテナ要素および構成要素の動作を同期および制御するために、基準クロック信号または基準クロック信号に由来する信号を使用することができる。基準クロック信号はまた、各アンテナユニット４５０がいつ特定の周波数帯域で伝送するのかを制御することによって、および干渉を引き起こし得る同じ周波数帯域で同時に２つ以上のアンテナユニット４５０が伝送することを制限または防止することによって、干渉を低減または排除するように、アンテナユニット４５０を同期させるために使用することができる。各サービスコンバイナ４５４Ａおよび４５４Ｂはまた、１つ以上の受動アンテナ要素（図示せず）に接続することができる。
【００４３】
図５は、本発明の代替の実施形態によるシステム５００を示す。図３および図４と同様に、システム５００は、１つ以上の配線クロゼットまたは結合ユニット５１４Ａおよび５１４Ｂを含む遠隔配線クロゼット５１０と、ＤＡＳを介して無線サービス（例えば、９１５ＭＨｚおよび２．４ＧＨｚ周波数帯域を使用したもの）を提供するように無線サービスネットワークを接続するネットワークポート５２４を含むアクセスポイント５２０と、ケーブルラン５４０と、アンテナユニット５５０とを含むことができる。アンテナユニット５５０は、１つ以上の能動アンテナユニット５５２Ａおよび５５２Ｂ、ならびに受動アンテナユニットとすることができ、また、サービス結合ユニット５５４Ａおよび５５４Ｂと、無線サービスのためのダイバーシティアンテナ構成５５８Ａおよび５５８Ｂと、他の無線サービスのための少なくとも１つの別個のアンテナ要素５５６Ａおよび５５６Ｂとを含むことができる。結合ユニット５１４のうちの１つ以上は、介在する配線クロゼットを通して直接的または間接的のいずれかで、１つ以上のＢＴＳシステムを接続できるようにする接続を含むことができる。この実施形態では、システム５００はまた、アクセスポイント５２０をＤＡＳ５００とインターフェースさせるためのアクセスポイントインターフェースモジュール５１６を含むことができる。
【００４４】
本発明のこの実施形態では、制御チャネルをサポートするために、別個のケーブル接続は不要である。本発明のこの実施形態によれば、アクセスポイント４２０の制御チャネルポート５２２Ａは、アクセスポイントインターフェースモジュール５１６の制御チャネルポートに接続することができ、制御チャネル信号５２２は、ＤＡＳを介したアンテナユニット５５０への伝送のために、アクセスポイントインターフェースモジュール５１６によって中間周波数（ＩＦ）制御信号に変換することができる。各アンテナユニット５５０では、サービスコンバイナ５５４Ａおよび５５４Ｂを含むことができ、これらサービスコンバイナは、ＩＦ制御信号を受信し、制御チャネル信号５２２を取り出し、制御チャネル信号５２２を能動アンテナ５５２Ａおよび５５２Ｂに転送するように適合される。同様に、サービスコンバイナ５５４Ａおよび５５４Ｂは、能動アンテナ５５２Ａおよび５５２Ｂから制御チャネル信号５２２を受信すること、ＩＦ制御信号を受信することができるアクセスポイントインターフェースモジュール５１６へのＤＡＳを介した伝送のために、制御チャネル信号５２２をＩＦ制御信号に変換すること、制御チャネル信号５２２を制御チャネル信号５２２の元々の無線サービス周波数に変換して戻すこと、および、制御チャネル信号５２２をアクセスポイント５２０に転送することができる。基準クロック信号発生器５０４は、基準クロック信号５２２をＤＡＳを介して分配できるように、ＤＡＳの信号結合要素５１４のうちの１つに接続することができる。各サービスコンバイナ５１４Ａ、５１４Ｂ、５５４Ａ、および５５４Ｂは、クロック再生回路またはフェーズロックループに基づく回路を含むことができ、これら回路は、基準クロック信号を受信し、かつ、基準クロック信号を使用して、同期された様式で、必要に応じて、種々のＤＡＳデータおよび制御信号をＲＦからＩＦに、およびＩＦからＲＦに、アップ変換またはダウン変換する。
【００４５】
制御チャネルは、能動アンテナ５５２Ａおよび５５２Ｂの（ダイバーシティアンテナのための）切替機能および増幅機能を、リアルタイムで制御するために使用することができる。本発明の一実施形態によれば、無線サービスは、時分割二重（ＴＤＤ）信号とすることができ、制御チャネルは、無線サービスによって使用される、ＴＤＤに基づく通信のタイミングおよび時間スロット選択を制御するために使用することができる。加えて、制御チャネルは、能動アンテナ５５２Ａおよび５５２Ｂによって伝送および受信される無線サービス信号の増幅を制御するために使用することができる。
【００４６】
本発明の一実施形態によれば、能動アンテナユニット５５２Ａおよび５５２Ｂのそれぞれは、第１の無線サービスをサポートするための少なくとも１つのダイバーシティアンテナ構成５５８Ａおよび５５８Ｂと、他の無線サービスをサポートするための少なくとも１つの別個のアンテナ要素５５６Ａおよび５５６Ｂとを含むことができる。ダイバーシティアンテナ構成は、向上した通信性能および信頼性を提供するために、２つ以上のダイバーシティアンテナ要素と、関連する送受信機構成要素とを含むことができる。ダイバーシティアンテナは、ダイバーシティアンテナ要素および構成要素の動作を同期および制御するために、基準クロック信号または基準クロック信号に由来する信号を使用することができる。基準クロック信号はまた、各アンテナユニット５５０がいつ特定の周波数帯域で伝送するのかを制御することによって、および干渉を引き起こし得る同じ周波数帯域で同時に２つ以上のアンテナユニット５５０が伝送することを制限または防止することによって、干渉を低減または排除するように、アンテナユニット５５０を同期させるために使用することができる。各サービスコンバイナ５５４Ａおよび５５４Ｂはまた、１つ以上の受動アンテナ要素（図示せず）に接続することができる。
【００４７】
図６は、本発明の代替の一実施形態によるシステム６００を示す。図３、図４、および図５と同様に、システム６００は、１つ以上の配線クロゼットまたは結合ユニット６１４Ａおよび６１４Ｂを含む遠隔配線クロゼット６１０と、ケーブルラン６４０と、１つ以上のアンテナユニット６５０とを含むことができる。アンテナユニット６５０は、１つ以上の能動アンテナユニット６５２Ａおよび６５２Ｂ、ならびに受動アンテナユニットとすることができ、また、サービス結合ユニット６５４Ａおよび６５４Ｂと、無線サービスのためのダイバーシティアンテナ構成６５８Ａおよび６５８Ｂと、他の無線サービスのための少なくとも１つの別個のアンテナ要素６５６Ａおよび６５６Ｂとを含むことができる。結合ユニット６１４のうちの１つ以上は、介在する配線クロゼットを通して直接的または間接的のいずれかで、１つ以上のＢＴＳシステムを接続できるようにする接続を含むことができる。この実施形態では、システム６００はまた、アクセスポイント６２０を１つ以上のアンテナユニット６５２Ａ、６５２Ｂと直接的にインターフェースさせるための１つ以上のインターフェースモジュール６１６に接続される１つ以上のアクセスポイント６２０を含むことができる。結合ユニット６１４のうちの１つ以上は、例えばイーサネット（登録商標）ネットワークまたはＬＡＮといったデータネットワークに基づくサービスを含む１つ以上の無線サービス（ＷＳ）に、ＤＡＳを接続するためのインターフェースを含むことができる。加えて、結合ユニット６１４のうちの１つ以上は、１つ以上の基準クロック信号発生器６０４をＤＡＳに接続するためのインターフェースを含み、ＤＡＳの構成要素のうちのいずれかまたは全てに分配することができる１つ以上の基準クロック信号（ＳＹＮＣ）を提供することができる。さらに、結合ユニット６１４のうちの１つ以上は、電源６０６をＤＡＳに接続するためのインターフェースを含み、ＤＡＳの構成要素のうちのいずれかまたは全てに分配することができる電力（例えば、１〜３Ｖ  ＤＣ、５Ｖ、１２Ｖ、最高５０ＶＤＣ）を提供することができる。
【００４８】
アクセスポイント６２０は、ＤＡＳの１つ以上のアンテナユニット６５０を通してアクセスされる無線サービス（例えば、９１５ＭＨｚおよび２．４ＧＨｚ周波数帯域を使用するもの）へのインターフェースを提供することができる。
【００４９】
本発明のこの実施形態では、制御チャネルをサポートするために、別個のケーブル接続は不要である。本発明のこの実施形態によれば、１つ以上のデータチャネル、制御チャネル、および基準クロック信号は、ＤＡＳを介して、アンテナユニット６５０およびアクセスポイント６２０に分配することができる。データチャネルのうちの１つ以上および制御チャネルへのアクセスは、サービスコンバイナ６１４Ｂ等のサービスコンバイナのうちの１つにおいて、ネットワークインターフェース６２４（イーサネット（登録商標）ネットワークインターフェース等）によって提供することができ、これにより、ＤＡＳによってサポートされる未使用の周波数帯域を使用して、ＤＡＳを介して、１つ以上のデータチャネルおよび制御チャネルを分配することができる。一実施形態では、１つ以上のデータチャネルおよび制御チャネルは、同軸ケーブル（例えば、１０ＢＡＳＥ２、１０ＢＡＳＥ５）とともに使用される標準イーサネット（登録商標）基底帯域信号等の基底帯域信号を使用して転送することができる。これらの通信チャネルは、双方向とすることができ、また、全二重および半二重モードで動作することができる。アンテナユニット６５０のサービスコンバイナ６５４Ａおよび６５４Ｂは、１つ以上のデータチャネルおよび制御チャネルを復元すること、およびそれらを、イーサネット（登録商標）信号または他の通信技術等のネットワーク信号に変換することができる。同様に、アンテナユニット６５０等のＤＡＳの被管理構成要素からの状態および応答の信号は、サービスコンバイナ６１４Ｂにおいてネットワークインターフェースに送り返すことができる。ネットワークインターフェース６２４は、無線サービスデータを転送するために、ＭＴＳネットワーク等の無線サービスネットワークに直接的に接続（あるいは、ＬＡＮ、ＶＬＡＮ、またはＷＡＮを介して間接的に接続）することができ、ＤＡＳが無線サービスデータを送り戻すことができるようにする。加えて、制御信号および構成信号を送信し、かつ状態信号（警告を含む応答信号）を受信するためのソフトウェアを含むパーソナルコンピュータ等の端末もまた、無線サービスネットワークに接続することができる。ネットワークは、例えば、イーサネット（登録商標）、トークンリング、Ｓｏｎｅｔ、データおよび音声を転送するために使用することができる他の標準および独自のネットワーク技術を含むあらゆるネットワーク技術とすることができる。
【００５０】
基準クロック信号は、サービスコンバイナ６１４Ｂ等のサービスコンバイナのうちの１つにおいてＳＹＮＣインターフェースに接続される基準クロックソース６０４によって提供することができ、これにより、ＤＡＳによってサポートされる未使用の周波数帯域を使用して、ＤＡＳを介して基準クロック信号を分配することができる。基準クロック信号は、信号がその元々の周波数からＤＡＳを介した転送のためのその中間周波数に変換される時に、および信号がケーブルランの端部においてその中間周波数からその元々の周波数に変換される時に、ＤＡＳを介して搬送される信号の同期された様式でのアップ変換およびダウン変換の同期を行うために使用することができる。
【００５１】
アクセスポイント６２０の制御チャネルポートは、アクセスポイントインターフェースモジュール６１６の制御チャネルポートに接続することができ、制御チャネル信号は、アクセスポイントインターフェースモジュール６１６を通して、アンテナユニット６５０とアクセスポイント６２０との間で転送することができる。各アンテナユニット６５０は、アンテナ構成要素６５２Ａ、６５６Ａ、６５８Ａ、６５２Ｂ、６５６Ｂ、６５８Ｂと、アクセスポイント２０と、配線クロゼットの中のサービスコンバイナ６１４Ｂ上のインターフェースとの間で、制御信号を送信および受信するように適合されるサービスコンバイナ６５４Ａおよび６５４Ｂを含むことができる。これは、状態を確認し、かつアクセスポイント２０の動作に関連する機能を制御するように、アクセスポイント６２０に制御信号を送信し、かつそこから制御信号を受信するために、制御チャネルを使用できるようにする。各サービスコンバイナ６１４Ａ、６１４Ｂ、６５４Ａ、および６５４Ｂは、クロック再生回路またはフェーズロックループに基づく回路を含むことができ、これら回路は、基準クロック信号を受信し、かつ、基準クロック信号を使用して、必要に応じて、種々のＤＡＳデータおよび制御信号をＲＦからＩＦに、およびＩＦからＲＦに、アップ変換またはダウン変換する。基準クロック信号は、サービスコンバイナ６５４Ｂから、アクセスポイントＩＦ６１６を通して、アクセスポイント６２０に提供することができる。アクセスポイントインターフェース６１６はまた、アンテナユニット６５０のうちの１つ以上から電力を受け取るための電力ポートを含むことができる。ＤＡＳは、直流信号の形態で電力を遠隔クロゼットから、例えばアンテナユニット６５０に転送するように、ケーブルラン６４０を使用することができる。
【００５２】
本発明の一実施形態によれば、アクセスポイント６２０は、ネットワークデータおよび制御信号を、サービスコンバイナ６１４Ｂのイーサネット（登録商標）インターフェースに接続された無線サービスネットワークにＤＡＳを介して転送するために、イーサネット（登録商標）接続を使用することができる。本発明のいくつかの実施形態では、アクセスポイント６２０は、ダイバーシティアンテナ構成を含むことができ、また、アクセスポイント６２０は、アンテナユニット６５０のうちの１つから基準クロック信号（ＳＹＮＣ）を受信し、この信号（またはＳＹＮＣ信号に由来する信号）を使用して、ダイバーシティアンテナ要素および構成要素の動作の同期および制御を行うことができる。
【００５３】
本発明の一実施形態によれば、無線サービスは、時分割二重（ＴＤＤ）信号とすることができ、制御チャネルは、無線サービスによって使用される、ＴＤＤに基づく通信のタイミングおよび時間スロット選択を制御するために使用することができる。加えて、制御チャネルは、能動アンテナ６５２Ａおよび６５２Ｂ、ならびに／またはアクセスポイントアンテナ６２２によって伝送および受信される無線サービス信号の増幅を制御するために使用することができる。
【００５４】
本発明の一実施形態によれば、同じ周波数帯域で同時に伝送する２つのアンテナユニット６５０またはアクセスポイント６２０によって生じる干渉を低減するために、２つ以上のアンテナユニット６５０またはアクセスポイントアンテナ６２２のブロードキャスト動作の同期および制御を行うように、基準クロックまたはＳＹＮＣ信号（またはＳＹＮＣ信号に由来する信号）を使用することができる。一実施形態によれば、これは、順序付けされた、または連続的な様式で各アンテナユニット６５０またはアクセスポイント６２０に伝送させるように、ＳＹＮＣ信号（またはＳＹＮＣ信号に由来する信号）および随意に制御信号を使用して達成することができる。本発明の一実施形態によれば、各アンテナユニット６５０またはアクセスポイント６２０には、時間スロットを割り当てることができ、各アンテナユニット６５０またはアクセスポイント６２０は、それらの割り当てられた時間スロット中にだけ各アンテナユニット６５０またはアクセスポイント６２０に伝送させる伝送シーケンスを起動する開始制御信号に従って構成および制御することができる。本発明の一実施形態によれば、ＳＹＮＣ信号は、ＧＰＳ（グローバルポジショニングシステム）受信器から受信する、または取り出される（ＤＡＳのＳＹＮＣチャネルを介して分配される）毎秒１パルスの信号とすることができ、屋内ネットワークの１つ以上の構成要素を広範囲のネットワークと同期させるために使用することができる。
【００５５】
本発明の一実施形態によれば、アクセスポイントインターフェース６１６は、サービスコンバイナのうちの１つ以上から受信した信号を、アクセスポイント６２０による使用に適した別の形式に変換することができる。例えば、アクセスポイントインターフェース６１６は、サービスコンバイナ６５４Ｂから受信したイーサネット（登録商標）信号（ｓｉｇｎ）を、全二重形式の１０Ｂａｓｅ２または１０Ｂａｓｅ５から、全二重または半二重形式の１０Ｂａｓｅ−Ｔに変換することができる。加えて、アクセスポイントインターフェース６１６は、サービスコンバイナ６５４Ｂから受信したパイロット信号から、ＳＹＮＣ信号をフィルタ処理して再生することができる。アクセスポイントインターフェース６１６はまた、フィルタ処理等によってノイズを除去し、電圧をステップアップまたはステップダウンし、かつ電力を分離するように、電力信号を処理することができる。一実施形態によれば、アクセスポイントインターフェース６１６は、イーサネット（登録商標）電力信号を介して、５０Ｖの接地電力信号を、分離された標準の電力に変換することができる。本発明の一実施形態では、アクセスポイントインターフェース６１６は、アクセスポイント６２０をアクセスポイントインターフェース６１６に接続するために、別個の物理的接続（例えば、３つの別個のコネクタ、ネットワーク、電力、制御）を提供することができる。本発明の代替の実施形態では、接続のそれぞれは、例えばＣＡＴ−５ネットワークケーブルといった、１つのケーブル上に多重化することができる。この実施形態では、ネットワークおよび制御信号は、ツイストペアケーブルのうちの２つを使用することができ、電力は、ツイストペアケーブルのうちの２つを介して供給することができる。
【００５６】
種々の図面では、２つ以上のケーブルがＤＡＳの構成要素を接続するように表されていることに留意されたい。本発明によれば、１つの物理的なケーブルだけを、説明された信号の運搬に使用することができるが、本発明の代替の実施形態では、２つ以上のケーブルを使用することができる。加えて、本明細書で開示されるケーブルは、一方の場所から他方の場所に信号を転送するために使用することができ、かつ、マルチ導体ケーブルを含む異なる種類のケーブルの組み合わせを使用することができる、あらゆる媒体とすることができる。ケーブルは、電気的または光学的あるいはラジオ周波数の伝導媒体とすることができる。
【００５７】
他の実施形態は、本発明の範囲および意図の範囲内にある。例えば、ソフトウェアの性質に起因して、上記に説明された機能は、ソフトウェア、ハードウェア、ファームウェア、ハード配線、またはこれらのうちのいずれかの組み合わせを使用して実装することができる。機能を実装する特徴はまた、種々の位置に物理的に位置付けられてもよく、機能の部分が、異なる物理的な場所に実装されるように分配されることを含む。
【００５８】
さらに、上記の説明が本発明に言及するとき、該説明は、２つ以上の発明を含み得る。
【図１】
2011525344.tif 000003
【図２】
2011525344.tif 000004
【図３】
2011525344.tif 000005
【図４】
2011525344.tif 000006
【図５】
2011525344.tif 000007
【図６】
2011525344.tif 000008
【国際調査報告】
2011525344.tif 000009